(57)【要約】      （修正有）【課題】テキストや画像が充実したＷｅｂページを視覚的に認識可能なＷｅｂページ検索結果表示方法を提供する。【解決手段】キーワードを基に検索されたＷｅｂページ内のテキストを、単語分解手段を使って単語ごとに分解し、言語辞書データベースに登録されている単語と照合した後、正負度合変換手段により、単語の「ポジティブ情報」の数（Ｘ軸）と、「ネガティブ情報」の数（Ｙ軸）を取得し、また、キーワードを基に検索されたＷｅｂページ内の各画像のファイルサイズを、画像サイズ取得手段により取得し、画像サイズ辞書データベースに登録されている画像ファイルサイズと照合し、有用画像数を取得した後、当該有用画像数と、表示ドット色情報と照合して表示色を決定し、以上の取得結果をＸＹ軸の座標にプロットし、検索キーワードに対する検索結果としてコンピュータに出力し、コンピュータに表示する。【選択図】図５
2008117138.tif 000002
【特許請求の範囲】
【請求項１】
コンピュータと、データベース管理サーバとがネットワークを介して接続され、前記データベース管理サーバは、前記コンピュータから入力されたキーワードに従って、前記データベース管理サーバ内のデータベースから検索ヒットした関連情報を予め設定した「ポジティブ情報」、および「ネガティブ情報」と照合し、検索結果を絞り込み表示するＷｅｂページ検索結果表示方法であって、
前記データベース管理サーバは、各単語毎にポジティブに属するかネガティブに属するかの情報を有する言語辞書データベースと、画像サイズ辞書データベースと、有用画像数と表示する有用画像数のドット色との関係を予め設定した表示ドット色情報とを備え、
前記コンピュータのキーワード送信手段が、利用者が入力した検索対象キーワードを前記データベース管理サーバに送信するステップと、
前記データベース管理サーバの検索手段が、前記コンピュータの前記キーワード送信手段から受信した前記キーワードを基にＷｅｂページを検索するステップと、
前記データベース管理サーバの単語分解手段が、前記検索手段により検索されたＷｅｂページ内のテキストを単語ごとに分解するステップと、
前記データベース管理サーバの正負度合変換手段が、前記単語分解手段で分解された単語を、前記言語辞書データベースに登録されている単語と照合し、前記Ｗｅｂページ内のテキストの「ポジティブ情報」の数と、「ネガティブ情報」の数を取得するステップと、
前記データベース管理サーバの画像サイズ取得手段が、前記検索手段により検索されたＷｅｂページ内の各画像のファイルサイズを取得するステップと、
前記データベース管理サーバの有用画像数取得手段が、前記画像サイズ取得手段により取得された各画像のファイルサイズと、前記画像サイズ辞書データベースに登録されている画像ファイルサイズと照合し、有用画像数を取得するステップと、
前記データベース管理サーバの表示色決定手段が、前記有用画像数取得手段で取得した有用画像数量と前記表示ドット色情報と照合して表示色を決定するステップと、
前記データベース管理サーバの出力手段が、Ｘ座標とＹ座標から成るグラフ上の、前記正負度合変換手段で取得した「ポジティブ情報」の数と、「ネガティブ情報」の数の座標値に、前記表示色決定手段で決定された表示色の記号をプロットし、前記検索キーワードに対する検索結果として前記コンピュータに出力するステップと、
前記コンピュータの検索結果表示手段が、前記データベース管理サーバから送信される前記キーワードに対する検索結果を表示するステップとを有することを特徴とするＷｅｂページ検索結果表示方法。
【発明の詳細な説明】
【技術分野】
【０００１】
本発明は、Ｗｅｂページ検索結果表示方法に係り、特に、前記有用単語数、前記有用画像数を元にＸＹグラフに検索結果をポインティングする方法に関する。
【背景技術】
【０００２】
従来、Ｗｅｂページの検索結果を表示する方法としては、一般に、検索結果の被リンク数やアクセス数を元にＷｅｂページの価値を計算し上位より表示する方法が知られている。
【発明の開示】
【発明が解決しようとする課題】
【０００３】
前述した方法によれば、Ｗｅｂページ内のテキストや画像といったコンテンツの有用性分析を欠いているため、内容が充実したＷｅｂページを必ずしも検索結果の上位に表示することができないと言う問題があった。
本発明は、前記従来技術の問題点を解決するためになされたものであり、本発明の目的は、Ｗｅｂページ検索結果表示方法において、テキストや画像が充実したＷｅｂページを視覚的に認識可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、コンピュータと、データベース管理サーバとがネットワークを介して接続され、前記データベース管理サーバは、前記コンピュータから入力されたキーワードに従って、前記データベース管理サーバ内のデータベースから検索ヒットした関連情報を予め設定した「ポジティブ情報」、および「ネガティブ情報」と照合し、検索結果を絞り込み表示するＷｅｂページ検索結果表示方法であって、前記データベース管理サーバは、各単語毎にポジティブに属するかネガティブに属するかの情報を有する言語辞書データベースと、画像サイズ辞書データベースと、有用画像数と表示する有用画像数のドット色との関係を予め設定した表示ドット色情報とを備え、前記コンピュータのキーワード送信手段が、利用者が入力した検索対象キーワードを前記データベース管理サーバに送信するステップと、前記データベース管理サーバの検索手段が、前記コンピュータの前記キーワード送信手段から受信した前記キーワードを基にＷｅｂページを検索するステップと、前記データベース管理サーバの単語分解手段が、前記検索手段により検索されたＷｅｂページ内のテキストを単語ごとに分解するステップと、前記データベース管理サーバの正負度合変換手段が、前記単語分解手段で分解された単語を、前記言語辞書データベースに登録されている単語と照合し、前記Ｗｅｂページ内のテキストの「ポジティブ情報」の数と、「ネガティブ情報」の数を取得するステップと、前記データベース管理サーバの画像サイズ取得手段が、前記検索手段により検索されたＷｅｂページ内の各画像のファイルサイズを取得するステップと、前記データベース管理サーバの有用画像数取得手段が、前記画像サイズ取得手段により取得された各画像のファイルサイズと、前記画像サイズ辞書データベースに登録されている画像ファイルサイズと照合し、有用画像数を取得するステップと、前記データベース管理サーバの表示色決定手段が、前記有用画像数取得手段で取得した有用画像数量と前記表示ドット色情報と照合して表示色を決定するステップと、前記データベース管理サーバの出力手段が、Ｘ座標とＹ座標から成るグラフ上の、前記正負度合変換手段で取得した「ポジティブ情報」の数と、「ネガティブ情報」の数の座標値に、前記表示色決定手段で決定された表示色の記号をプロットし、前記検索キーワードに対する検索結果として前記コンピュータに出力するステップと、前記コンピュータの検索結果表示手段が、前記データベース管理サーバから送信される前記キーワードに対する検索結果を表示するステップとを有する。
【発明の効果】
【０００５】
本願において開示される発明のうち代表的なものによって得られる効果を簡単に説明すれば、下記の通りである。
本発明のＷｅｂページ検索結果表示方法によれば、テキストや画像が充実したＷｅｂページを視覚的に認識することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明のＷｅｂページ検索結果表示方法が適用されるシステムの概略構成を示すブロック図である。
図１に示すシステムは、コンピュータ（以下、ＰＣという）１０と、データベース管理サーバ２０とが、インターネットなどのネットワーク３０を介して接続されて構成される。
図２は、図１に示すＰＣ１０のハードウェア構成を示すブロック図である。
図１に示すＰＣ１０は、ＰＣ１０に電源を入力する電源部３０１と、ＣＰＵを有しデータを処理する制御部３０２と、処理するデータを保存する記憶部３０３と、処理結果を表示する表示部３０４と、データ処理を操作するキーボード部３０５と、ハードウェアの各部位を接続するコネクタ部３０６とで構成される。
図３は、図１に示すデータベース管理サーバ２０のハードウェア構成を示すブロック図である。
図１に示すデータベース管理サーバ２０は、データベース管理サーバ２０に電源を入力する電源部４０１と、ＣＰＵを有しデータを処理する制御部４０２と、処理するデータを保存する記憶部４０３と、処理作業を表示する表示部４０４と、データ処理を操作するキーボード部４０５とで構成される。
【０００７】
本発明の実施例のＷｅｂページ検索結果表示方法では、ＰＣ１０が、データベース管理サーバ２０に接続され、データベース管理サーバ２０が、前記ＰＣ１０から入力されたキーワード（ジャンル名）に従って、データベース管理サーバ２０内のデータベースから検索ヒットした結果のＷｅｂページ内テキストを単語分解し、単語を言語辞書データベースと照合することで、単語のポジティブ（正）情報、ネガティブ（負）情報を取得すると同時に、Ｗｅｂページ内画像の画像サイズを画像サイズ辞書データベースと照合し、表示ドット色情報を取得した後、Ｗｅｂページ内テキストの正負情報に基づく座標位置に、表示ドット色情報から成る記号（シンボル）をＸＹグラフにブロットして検索結果を表示する。
ＰＣ１０は、キーワード送信手段と、検索結果表示手段とを有し、これらの手段は、制御部３０２のＣＰＵがプログラムを実行することにより実現される機能手段である。
データベース管理サーバ２０は、各単語毎にポジティブに属するか、ネガティブに属するかの情報を有する言語辞書データベースと、画像サイズ辞書データベースと、有用画像数の量と、表示する有用画像数のドット色との関係を予め設定した表示ドット色情報（所謂、テーブル）とを備えている。これらの情報は、記憶部４０３に格納される。
また、データベース管理サーバ２０は、検索手段と、単語分解手段と、正負度合変換手段と、画像サイズ取得手段と、有用画像数取得手段と、表示色決定手段と、出力手段とを有する。これらの手段は、制御部４０２のＣＰＵがプログラムを実行することにより実現される機能手段である。
【０００８】
図４は、本発明の実施例のＷｅｂページ検索結果表示方法を実現するための、データベース管理サーバ２０の処理手順を示すフローチャートである。
初めに、ＰＣ１０のキーワード送信手段が、利用者が入力した検索対象キーワードをデータベース管理サーバ２０に送信すると（ステップ１０１）が、データベース管理サーバの検索手段が、当該受信したキーワードを基にＷｅｂページを検索する（ステップ１０２）。
次に、キーワードに該当するＷｅｂページが有るか否かを判断し（ステップ１０３）、ステップ１０３で、キーワードに該当するＷｅｂページが無ければ、キーワード入力に戻り、ステップ１０３で、キーワードに該当するＷｅｂページが有った場合には、Ｗｅｂページ内にあるテキストと画像を取得する（ステップ１０４）。
次に、取得したＷｅｂページ内にテキストが有るか否かを判定し（ステップ１０５）、ステップ１０５で、取得したＷｅｂページ内にテキストが無い場合は、ステップ１０８に進む。
ステップ１０５で、取得したＷｅｂページ内にテキストがある場合は、単語分解手段を用いて、形態素解析により、テキストを単語に分解する（ステップ１０６）。
次に、正負度合変換手段が、単語分解手段で分解された単語を、言語辞書データベースに登録されている単語と照合し、Ｗｅｂページ内のテキストの「ポジティブ情報」の数と、「ネガティブ情報」の数を取得する（ステップ１０７）。
【０００９】
次に、取得したＷｅｂページ内に画像が有るか否かを判定し（ステップ１０８）、ステップ１０８で、取得したＷｅｂページ内に画像が無い場合は、ステップ１１１に進む。
ステップ１０８で、取得したＷｅｂページ内に画像がある場合は、画像サイズ取得手段が、取得したＷｅｂページ内の各画像のファイルサイズを取得する（ステップ１０９）。
次に、有用画像数取得手段が、画像サイズ取得手段により取得された各画像のファイルサイズと、画像サイズ辞書データベースに登録されている画像ファイルサイズと照合し、有用画像数を取得した後、表示色決定手段が、有用画像数取得手段で取得した有用画像数量と表示ドット色情報と照合して表示色を決定する（ステップ１１０）。
Ｗｅｂページ内には、有用画像以外にもクリックするためだけのボタン画像等の画像も含まれており、画像のファイルサイズが小さすぎるものは、このようなボタン画像等に該当しやすい。ステップ１１０は、所定のファイルサイズ以下の画像をフィルタリングして、画像のファイルサイズが小さすぎた場合は有用画像として認識しないようにするための処理である。
次に、出力手段が、Ｘ座標とＹ座標から成るグラフ上の、正負度合変換手段で取得した「ポジティブ情報（正：Ｘ軸）」の数と、「ネガティブ情報（負：Ｙ軸）」の数の座標値に、表示色決定手段で決定された表示色の記号（シンボル）をプロットし、検索キーワードに対する検索結果として、ＰＣ１０に出力する（ステップ１１１）。
ＰＣ１０は、検索結果表示手段を用いて、データベース管理サーバ２０から送信された、キーワードに対する検索結果を表示する。
【００１０】
図５は、本実施例のＷｅｂページ検索結果表示方法により表示される検索結果画面の一例を示す図である。
図５において、２０１Ｘは、検索結果を表示するベースとなるＸ軸（ポジティブ軸）、２０１Ｙは、Ｙ軸（ネガティブ軸）を示し、２０２は、ポジティブ（正）情報と、ネガティブ（負）情報とが豊富なＷｅｂページをプロットした結果を示し、２０３は、ポジティブ（正）情報と、ネガティブ（負）情報がないＷｅｂページをプロットした結果を示している。
例えば、有用画像が１つしかないＷｅｂページは青色、有用画像が１０個あるＷｅｂページは赤色のように、プロットされたドットの色は、各ページの表示ドット色情報によって異なっている。
なお、図５では、ＸＹグラフにプロットされる記号は、ドット（あるいは、丸）の場合を図示しているが、これ以外の記号（例えば、四角形等）であってもよい。
以上説明したように、本実施例によれば、Ｗｅｂページの検索結果の中で、それぞれのＷｅｂページのテキストや画像が有用なものが多いかどうか、キーワードに対してネガティブなテキストが多いページか、キーワードに対してポジティブなテキストが多いページかを視覚的に認識することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明のＷｅｂページ検索結果表示方法が適用されるシステムの概略構成を示すブロック図である。
【図２】図１に示すＰＣのハードウェア構成を示すブロック図である。
【図３】図１に示すデータベース管理サーバのハードウェア構成を示すブロック図である。
【図４】本発明の実施例のＷｅｂページ検索結果表示方法を実現するための、データベース管理サーバの処理手順を示すフローチャートである。
【図５】本発明の実施例のＷｅｂページ検索結果表示方法により表示される検索結果画面の一例を示す図である。
【符号の説明】
【００１２】
１０  コンピュータ
２０  データベース管理サーバ
３０  ネットワーク
１０１キーワード入力処理
１０２  検索処理
１０３  Ｗｅｂページ有無判別処理
１０４  テキスト、画像抽出処理
１０５  テキスト有無判別処理
１０６  単語分解処理
１０７  正負度合変換処理
１０８  画像有無判別処理
１０９  画像サイズ取得処理
１１０  表示ドット色取得処理
１１１  検索結果表示処理
２０１Ｘ  ポジティブ軸
２０１Ｘ  ネガティブ軸
２０２  ポジティブ、ネガティブが豊富なＷｅｂページ
２０３  ポジティブ、ネガティブがないＷｅｂページ
３０１  ＰＣの電源部
３０２  ＰＣの制御部
３０３  ＰＣの記憶部
３０４  ＰＣの表示部
３０５  ＰＣのキーボード部
３０６  ＰＣのコネクタ部
４０１  データベース管理サーバの電源部
４０２  データベース管理サーバの制御部
４０３  データベース管理サーバの記憶部
４０４  データベース管理サーバの表示部
４０５  データベース管理サーバのキーボード部
【図１】
2008117138.tif 000003
【図２】
2008117138.tif 000004
【図３】
2008117138.tif 000005
【図４】
2008117138.tif 000006
【図５】
2008117138.tif 000007